(57)【要約】【課題】非接触ＩＣチップを用いてデータを効率的に収集しコンピュータ管理する。【解決手段】ＩＣチップ１００はリーダ１０２に対して非接触でデータを送信する。リーダ１０２はデータを受信しメモリに記憶する。ＩＣチップ１００と異なる種類のＩＣチップ１０４がリーダ１０２の近傍に位置する場合、リーダ１０２はメモリに記憶されたデータをＩＣチップ１０４に対して無線送信する。ＩＣチップ１０４で受信したデータはコンピュータに供給される。リーダ１０２はスタンドアロン状態でＩＣチップ１００，１０４とデータを送受する。【選択図】図１
2005142855.tif 000002
【特許請求の範囲】
【請求項１】
第１のＩＣチップ、前記第１のＩＣチップと異なる第２のＩＣチップ、前記第１及び第２のＩＣチップとデータの送受信を行うリーダを備えるデータ送受信システムであって、
前記第１のＩＣチップは、
前記リーダからの電波を受信する第１受信手段と、
受信した電波により自励発電する発電手段と、
データを記憶する第１記憶手段と、
前記発電手段から電源電圧を供給され、前記第１記憶手段に記憶されたデータを前記リーダに無線出力する第１無線出力手段と、
を有し、
前記第２のＩＣチップは、
前記リーダから送信されたデータを受信する第２受信手段と、
前記データ群を記憶する第２記憶手段と、
を有し、
前記リーダは、
データ送受信すべきＩＣチップが前記第１のＩＣチップか前記第２のＩＣチップかを識別する識別手段と、
データ送受信すべきＩＣチップが前記第１のＩＣチップである場合に、前記第１のＩＣチップから無線出力されたデータを受信するリーダ側受信手段と、
前記データを記憶するリーダ側記憶手段と、
データ送受信すべきＩＣチップが前記第２のＩＣチップである場合に、前記リーダ側記憶手段に記憶されたデータを前記第２のＩＣチップに無線出力するリーダ側無線出力手段と、
を有することを特徴とするデータ送受信システム。
【請求項２】
請求項１記載のシステムにおいて、
前記リーダは、コンピュータに非接続のスタンドアロン状態であることを特徴とするデータ送受信システム。
【請求項３】
請求項１記載のシステムにおいて、
前記第１のＩＣチップは、ゲートを通過するためのカードあるいはチケットあるいはトークンに組み込まれ、
前記第２のＩＣチップは、コンピュータに有線あるいは無線で接続される機器に組み込まれ、前記リーダから無線送信されたデータを前記コンピュータに出力する
ことを特徴とするデータ送受信システム。
【請求項４】
請求項１記載のシステムにおいて、
前記第１のＩＣチップは、検出手段に組み込まれて前記検出手段で検出されたデータを前記リーダに無線出力し、
前記第２のＩＣチップは、コンピュータに有線あるいは無線で接続される機器に組み込まれ、前記リーダから無線出力されたデータを前記コンピュータに出力する
ことを特徴とするデータ送受信システム。
【請求項５】
請求項４記載のシステムにおいて、
前記第１のＩＣチップは、患者の体温を測定する体温検出器に組み込まれて検出された体温データを前記リーダに無線出力し、
前記リーダは、前記第１のＩＣチップからの体温データを受信して前記リーダ側記憶手段に記憶し、
前記第２のＩＣチップは、コンピュータに有線あるいは無線で接続される機器に組み込まれ、前記リーダから無線出力された体温データを前記コンピュータに出力する
ことを特徴とするデータ送受信システム。
【請求項６】
ＩＣチップとデータの送受信を行うデータ送受信装置であって、
前記ＩＣチップからの識別データを受信することにより前記ＩＣチップの種類を識別する識別手段と、
前記識別手段により前記ＩＣチップが第１のＩＣチップであると識別した場合に、前記第１のＩＣチップから無線送信されたデータを受信する受信手段と、
受信した前記データを記憶する記憶手段と、
前記識別手段により前記ＩＣチップが前記第１のＩＣチップと異なる第２のＩＣチップであると識別した場合に、前記第２のＩＣチップに対して前記記憶手段に記憶された前記データを無線送信する送信手段と、
を有することを特徴とするデータ送受信装置。
【請求項７】
請求項６記載の装置において、
前記記憶手段は、複数の前記第１のＩＣチップから無線送信されたデータを順次記憶し、
前記送信手段は、前記記憶手段に記憶された複数のデータを前記第２のＩＣチップに対して無線送信する
ことを特徴とするデータ送受信装置。
【請求項８】
請求項６記載の装置において、さらに、
前記第１のＩＣチップの自励発電用の電波を前記第１のＩＣチップに対して送信する電波送信手段と、
を有することを特徴とするデータ送受信装置。
【請求項９】
請求項６記載の装置において、さらに、
複数の前記第１のＩＣチップから無線送信され前記記憶手段に順次記憶されたデータに対して所定の統計処理を行ってその処理結果を前記記憶手段に出力する処理手段と、
を有し、前記送信手段は、前記記憶手段に記憶された処理結果を前記第２のＩＣチップに対して無線送信する
ことを特徴とするデータ送受信装置。
【請求項１０】
第１のＩＣチップが組み込まれた第１の機器、第１のＩＣチップと異なる第２のＩＣチップが組み込まれた第２の機器、及びリーダ間でデータの送受信を行う方法であって、
前記リーダから電波を送信し、
前記第１の機器が前記電波を受信した場合に前記第１のＩＣチップあるいは前記第１の機器を識別するための情報を前記リーダに無線送信し、
前記リーダは、前記第１の機器からの前記情報に応じてデータ送信要求コマンドを送信し、
前記第１の機器は、前記データ送信要求コマンドに応じて内部メモリに記憶されたデータを無線送信し、
前記リーダは、前記第１の機器からのデータを受信して内部メモリに記憶し、
前記第２の機器が前記電波を受信した場合に前記第２のＩＣチップあるいは前記第２の機器を識別するための情報を前記リーダに無線送信し、
前記リーダは、前記第２の機器からの前記情報に応じて前記内部メモリに記憶した前記データを無線送信し、
前記第２の機器は、前記リーダからのデータを受信して内部メモリに記憶し、さらにコンピュータに前記データを送信する
ことを特徴とするデータ送受信方法。
【発明の詳細な説明】
【技術分野】
【０００１】
本発明はデータ送受信システム及びデータ送受信装置並びに方法に関し、特に無線でデータの送受信を行うシステム及び装置に関する。
【背景技術】
【０００２】
無線によるデータ送受信機能を備えたカードが開発されており、駅の改札口等に利用されている。このシステムでは、カード内に受信アンテナを備えるＩＣチップが埋め込まれ、改札口に設けられたインフラストラクチャとしてのリーダから微弱な電波を送信し、カードを所定範囲内に近づけるとＩＣチップの固有情報をリーダに送り返すシステムである。
【０００３】
利用者は、カードをリーダに近づけるだけで改札を通過することができる一方、リーダを管理する側においても、リーダをサーバコンピュータに接続することで利用者データを収集し、これらのデータを統計処理する等して利用者の状況を把握し、システムの改善あるいは利便性向上に役立てることができる。
【０００４】
【特許文献１】特開２００２−１４０７３５号
【発明の開示】
【発明が解決しようとする課題】
【０００５】
しかしながら、ＩＣチップからの固有情報をリーダで読み取り、これらを適宜統計処理等するために読み取ったデータをサーバコンピュータに入力するためには、リーダをサーバコンピュータに接続する必要があり、新規に当該システムを構築する、あるいは既存のシステムを改変する際にはコストが増大する。
【０００６】
また、リーダを固設ではなく可搬とするシステムにおいては、リーダをコンピュータシステムに接続してしまうとその可搬性が損なわれてしまう場合もある。
【０００７】
本発明の目的は、リーダにて読み取ったＩＣチップのデータを簡易にリーダから取り出して適宜コンピュータに供給し、リーダで収集したデータを有効活用できるシステム及び装置並びに方法を提供することにある。
【課題を解決するための手段】
【０００８】
本発明は、第１のＩＣチップ、前記第１のＩＣチップと異なる第２のＩＣチップ、前記第１及び第２のＩＣチップとデータの送受信を行うリーダを備えるデータ送受信システムであって、前記第１のＩＣチップは、前記リーダからの電波を受信する第１受信手段と、
受信した電波により自励発電する発電手段と、データを記録する第１記憶手段と、前記発電手段から電源電圧を供給され、前記第１記憶手段に記憶されたデータを前記リーダに無線出力する第１無線出力手段とを有し、前記第２のＩＣチップは、前記リーダから送信されたデータを受信する第２受信手段と、前記データ群を記憶する第２記憶手段とを有し、前記リーダは、データ送受信すべきＩＣチップが前記第１のＩＣチップか前記第２のＩＣチップかを識別する識別手段と、データ送受信すべきＩＣチップが前記第１のＩＣチップである場合に、前記第１のＩＣチップから無線出力されたデータを受信するリーダ側受信手段と、前記データを記憶するリーダ側記憶手段と、データ送受信すべきＩＣチップが前記第２のＩＣチップである場合に、前記リーダ側記憶手段に記憶されたデータを前記第２のＩＣチップに無線出力するリーダ側無線出力手段とを有する。
【０００９】
本発明においては、リーダは第１のＩＣチップ及び第２のＩＣチップと無線で（非接触で）データを送受信するが、同じＩＣチップであってもその種類あるいはＩＣチップが組み込まれた機器に応じて異なる動作を行う。すなわち、第１のＩＣチップの場合には、第１のＩＣチップからのデータを受信し、記憶手段に記憶していく。第１のＩＣチップが複数存在する場合、各第１のＩＣチップからのデータが記憶手段に順次記憶され蓄積されていく。一方、第２のＩＣチップの場合には、第１のＩＣチップの場合と異なり、記憶手段に記憶されたデータないしデータ群を第２のＩＣチップに無線出力する。これにより、第２のＩＣチップは、リーダの記憶しているデータ、すなわち第１のＩＣチップのデータを受信することとなり、第２のＩＣチップを適宜コンピュータに接続することで当該データをコンピュータに入力することができる。本発明では、第２のＩＣチップによりリーダの収集したデータを読み出すため、リーダ自体をコンピュータシステムに接続する必要はなく、リーダをスタンドアロン状態に保持できる。
【００１０】
また、本発明は、ＩＣチップとデータの送受信を行うデータ送受信装置を提供する。この装置は、前記ＩＣチップからの識別データを受信することにより前記ＩＣチップの種類を識別する識別手段と、前記識別手段により前記ＩＣチップが第１のＩＣチップであると識別した場合に、前記第１のＩＣチップから無線送信されたデータを受信する受信手段と、受信した前記データを記憶する記憶手段と、前記識別手段により前記ＩＣチップが前記第１のＩＣチップと異なる第２のＩＣチップであると識別した場合に、前記第２のＩＣチップに対して前記記憶手段に記憶された前記データを無線送信する送信手段とを有する。
【００１１】
本発明においては、データ送受すべき相手が第１のＩＣチップである場合にはそのデータを収集し、第２のＩＣチップである場合には収集したデータを第２のＩＣチップに無線送信する。したがって、データ送受信装置で収集したデータは第２のＩＣチップを経由してコンピュータ等に供給することができる。
【００１２】
また、本発明は、第１のＩＣチップが組み込まれた第１の機器、第１のＩＣチップと異なる第２のＩＣチップが組み込まれた第２の機器、及びリーダ間でデータの送受信を行う方法を提供する。この方法は、前記リーダから電波を送信し、前記第１の機器が前記電波を受信した場合に前記第１のＩＣチップあるいは前記第１の機器を識別するための情報を前記リーダに無線送信し、前記リーダは、前記第１の機器からの前記情報に応じてデータ送信要求コマンドを送信し、前記第１の機器は、前記データ送信要求コマンドに応じて内部メモリに記憶されたデータを無線送信し、前記リーダは、前記第１の機器からのデータを受信して内部メモリに記憶し、前記第２の機器が前記電波を受信した場合に前記第２のＩＣチップあるいは前記第２の機器を識別するための情報を前記リーダに無線送信し、前記リーダは、前記第２の機器からの前記情報に応じて前記内部メモリに記憶した前記データを無線送信し、前記第２の機器は、前記リーダからのデータを受信して内部メモリに記憶し、さらにコンピュータに前記データを送信するものである。
【発明を実施するための最良の形態】
【００１３】
以下、図面に基づき本発明の実施形態について説明する。
【００１４】
図１には、本実施形態におけるシステム概念図が示されている。本システムは、ＩＣチップ１００、リーダ１０２、及びＩＣチップ１０４を含んで構成される。
【００１５】
ＩＣチップ１００及びＩＣチップ１０４は種類の異なる媒体あるいは機器にそれぞれ組み込まれるＩＣチップであり、例えばＩＣチップ１００はタグやカード、チケット等の機器に組み込まれる。一方、ＩＣチップ１０４は、データ収集用装置等の保守管理機器に組み込まれる。ＩＣチップ１００及びＩＣチップ１０４は基本構成としてはほぼ同様であるが、その動作、すなわちメモリに記憶された処理プログラムや固有情報が異なる。
【００１６】
リーダ１０２は、ＩＣチップ１００及びＩＣチップ１０４とデータの送受信を行うもので、データを記憶管理するためのメモリを備える。リーダ１０２は、ＩＣチップ１００との間ではＩＣチップ１００から無線送信されたデータを受信してメモリに記憶する機能を有し、ＩＣチップ１０４との間ではメモリに記憶されたＩＣチップ１００のデータ（ＩＣチップ１００の固有情報）を無線送信する機能を有する。すなわち、リーダ１０２は、送受信すべき相手がＩＣチップ１００であるかＩＣチップ１０４であるかを識別し、送受信相手がＩＣチップ１００である場合にはデータ受信機能及びデータ記憶機能を実行し、送受信相手がＩＣチップ１０４であればデータ読出機能及びデータ送信機能を実行する。ＩＣチップ１００，１０４をそれぞれ「タグ」として把握した場合、リーダ１０２は、あるタグの場合には当該タグの情報を読み取り、別のタグの場合にはメモリに記憶した他のタグの情報を送信する機能を有すると云うこともできる。
【００１７】
なお、ＩＣチップ１００とリーダ１０２間の送受信においては、リーダ１０２から微弱電波を送信し、ＩＣチップ１００でこの電波を整流して自励発電し、ＩＣチップの電源電圧とすることが好適である。また、ＩＣチップ１００からリーダ１０２に対してデータを送信する際、ＩＣチップ１００を識別するためのＩＤを送信してもよい。
【００１８】
また、ＩＣチップ１０４とリーダ１０２間の送受信においては、リーダ１０２内において複数のＩＣチップ１００から無線送信された複数のデータを統計処理し、その結果をメモリに記憶し、個々のデータとともに統計処理結果を併せてＩＣチップ１０４に無線送信してもよく、あるいは統計処理結果のみを無線送信してもよい。
【００１９】
このように、本実施形態のシステムでは、リーダ１０２はコンピュータネットワークに接続されておらず、いわばスタンドアロンとして存在する。そして、データを読み取るべきＩＣチップ１００と異なるＩＣチップ１０４がデータ送受信範囲に存在する場合に、当該ＩＣチップ１０４に対してリーダ１０２のメモリに記憶したデータを無線送信する。したがって、システム利用者は、ＩＣチップ１００の代わりにＩＣチップ１０４をリーダ１０２の近傍に位置させるだけで、リーダ１０２で収集されたＩＣチップ１００のデータ（固有情報）を吸い上げることができる。また、ＩＣチップ１０４で吸い上げたＩＣチップ１００のデータ（固有情報）は、ＩＣチップ１０４を適宜コンピュータシステムに有線あるいは無線接続して、コンピュータに入力することができる。
【００２０】
図１において、ＩＣチップ１０４はＩＣチップ１００と同様に可搬媒体あるいは可搬機器に組み込むことができるが、図２に示されるように、ＩＣチップ１０４をコンピュータ１０６と接続しておくこともできる。リーダ１０２が固設ではなく可搬性を有する場合、このリーダ１０２をＩＣチップ１０４の近傍に位置させることで、リーダ１０２のメモリに記憶されているデータをＩＣチップ１０４に無線送信する。その後、ＩＣチップ１０４からコンピュータ１０６に当該データが送信される。
【００２１】
図３には、図１あるいは図２におけるＩＣチップ１００の基本構成ブロック図が示されている。
【００２２】
アンテナ２２は、ループ状に形成され、リーダ１０２からの微弱電波を受信する。受信した電波は発電回路２７に出力する。
【００２３】
発電回路２７は、アンテナ２２からの電波信号（ＲＦキャリア）を整流することで電源電圧Ｖｄｄを自励発電し、得られたＶｄｄをＩＣチップ１００の各部に供給してその動作を可能とする。
【００２４】
ＥＥＰＲＯＭ２３は、ＩＣチップ１００のデータ（固有情報）及び動作プログラムを記憶しており、ＣＰＵ２０は、動作プログラムに基づき、記憶されたデータを読み出してＲＦ部２１に出力する。ＥＥＰＲＯＭ２３には外部インタフェースＩ／Ｆ２６が接続されており、ＥＥＰＲＯＭ２３に記憶されるデータ内容を書き換えることができる。データの内容は、例えばＩＣチップ１００の固有ＩＤやＩＣチップ１００が組み込まれる機器を特定するＩＤその他である。
【００２５】
ＲＦ部２１は、ＣＰＵ２０からのデータを無線データに変換し、アンテナ２２から無線出力する。無線出力されたデータは、リーダ１０２で受信される。図３においては、発電回路２７によって自励発電しているが、発電回路２７の代わりに１次電池あるいは２次電池を用いてもよい。
【００２６】
一方、図４には、図１あるいは図２におけるリーダ１０２の基本構成ブロック図が示されている。
【００２７】
ＲＦドライバ１６は、ＣＰＵ１０からの指令により共振波形をアンテナ１８に出力し、アンテナ１８から微弱電波（例えば１０ｍＷ程度）を出力する。
【００２８】
この電波を受けてＩＣチップ１００から上述したようにデータが無線送信された場合、アンテナ１８はこのデータを受信してＲＦ受信回路１７に出力する。
【００２９】
ＲＦ受信回路１７は、データをデジタル信号に変換し、さらに復調してＣＰＵ１０に出力する。
【００３０】
ＣＰＵ１０は、送受信相手がＩＣチップ１００であることを識別し、ＩＣチップ１００から無線送信され復調されたデータをメモリ１５に記憶する。ＩＣチップ１００が複数存在する場合、これら複数のＩＣチップ１００から順次データが送信されるため、ＣＰＵ１０はこれらのデータを順次メモリ１５に記憶する。データを記憶する際に、発振子１４のクロックＣＬＫで得られた現在時刻データを併せて記録してもよい。発振子１４のクロックＣＬＫはシステムクロックとしても機能する。一方、ＣＰＵ１０は、データ送受信の相手がＩＣチップ１０４であると識別した場合には、メモリ１５に記憶されたデータを読み出してＲＦドライバ１６に出力する。ＲＦドライバ１６は、これらのデータを変調してアンテナ１８に出力し、アンテナ１８からＩＣチップ１０４に対して無線送信する。ＣＰＵ１０における送受信相手の識別は、ＩＣチップ１００あるいはＩＣチップ１０４から送信される応答コマンドにより行う。
【００３１】
リーダ１０２は、内蔵電池１９あるいは外部電源からの電源電圧により動作するが、ＩＣチップ１００と同様に外部からの電波により自励発電する構成としてもよい。
【００３２】
ＩＣチップ１０４の構成は、基本的にＩＣチップ１００と同様であるが、ＥＥＰＲＯＭ２３その他のメモリに固有情報を記憶してリーダ１０２に対して送信するのではなく、リーダ１０２から送信されたデータを記憶する。すなわち、リーダ１０２から無線送信されたデータはアンテナ２２で受信され、ＲＦ部２１でデジタル信号に変換され復調された後、ＣＰＵ２０に供給される。ＣＰＵ２０は、受信したデータをＥＥＰＲＯＭ２３に記憶する。ＩＣチップ１０４のＥＥＰＲＯＭ２３に記憶されたデータ、すなわちＩＣチップ１００のデータは、外部インタフェース２６を介してコンピュータに供給される。
【００３３】
図５には、本実施形態のシステムにおける動作の流れが示されている。
【００３４】
既述したように、リーダ１０２のアンテナ１８から微弱電波が送信される。ＩＣチップ１００をリーダ１０２の近傍に配置すると、ＩＣチップ１００のアンテナ２２はこの電波を受信し、発電回路２７で自励発電してＣＰＵ２０を起動する。ＣＰＵ２０は、応答コマンドをＲＦ部２１及びアンテナ２２を介してリーダ１０２に応答する。リーダ１０２のＣＰＵ１０は、ＩＣチップ１００からの応答コマンドによりデータ送受信すべき相手がＩＣチップ１００であり、ＩＣチップ１０４でないことを識別する。ＩＣチップの種類を識別した後、リーダ１０２はデータ送信要求コマンドをＩＣチップ１００に送信する。ＩＣチップ１００のＣＰＵ２０は、リーダ１０２からのデータ送信要求コマンドに応じ、ＥＥＰＲＯＭ２３に記憶されているデータやＩＤを送信する。データは、例えば駅改札口の場合には乗車区間データや金額データ、利用者を特定するデータ等である。
【００３５】
リーダ１０２は、ＩＣチップ１００から無線送信されたデータやＩＤを受信し、メモリ１５に記憶する。ＩＣチップ１００が順次リーダ１０２の近傍に配置された場合、以上の処理がその都度実行され、複数のＩＣチップ１００から無線送信されたデータやＩＤがメモリ１５に順次蓄積されていく。
【００３６】
一方、ＩＣチップ１０４をリーダ１０２の近傍に配置すると、ＩＣチップ１０４のアンテナ２２はこの電波を受信し、ＩＣチップ１０４のＣＰＵ２０は応答コマンドを無線送信する。リーダ１０２はこの応答コマンドからＩＣチップ１０４の種類を識別する。リーダ１０２のＣＰＵ１０は、データ送受信すべき相手がＩＣチップ１００ではなくＩＣチップ１０４であると識別し、メモリ１５に記憶されているデータないしデータ群を読み出し、ＲＦドライバ１６及びアンテナ１８を介してＩＣチップ１０４に対して無線送信する。ＩＣチップ１０４に送信するデータは、基本的には個々のＩＣチップ１００から収集したデータ及びそのＩＤであるが、収集時刻データを加えてもよく、さらに所定の統計処理を実行した結果を加えてもよい。所定の統計処理は、ＩＣチップ１００のデータ内容に応じて決定される。例えばＩＣチップ１００が駅の改札を通過するためのカードあるいはチケットに組み込まれる場合には改札人数の総計や乗車時間帯の分布、乗車区間の分布等であり、ＩＣチップ１００がセンサを備える検出機器に組み込まれる場合には測定データの平均値やピーク値、ボトム値等である。ＩＣチップ１０４は、リーダ１０２から無線送信されたデータをアンテナ２２で受信し、ＥＥＰＲＯＭ等のメモリに記憶する。その後、ＩＣチップ１０４は、コンピュータ（ＰＣ）に対してメモリに記憶したデータを送信する。
【００３７】
このように、本実施形態のシステムでは、ＩＣチップ１００のデータを読みとるリーダ１０２はスタンドアロンで存在し、ＩＣチップ１００と異なる種類のＩＣチップ１０４が近傍に存在する場合に、ＩＣチップ１０４のデータを読みとるのではなくＩＣチップ１０４に対して自己のデータを送信するように構成されているため、リーダ１０２をコンピュータネットワークに接続することなく、すなわちリーダ１０２のハードウェア構成に大幅な変更を加えることなく、リーダ１０２で収集したＩＣチップ１００のデータをコンピュータに供給することができる。
【００３８】
以下、本実施形態のシステムをより具体的に説明する。
【００３９】
まず、本実施形態のシステムを駅の改札等、入退場管理システムに適用する場合の例について説明する。
【００４０】
図６には、利用者が入場する場合の概念図が示されている。利用者は、ＩＣチップ１００が組み込まれたトークン１０８を携帯する。もちろん、トークン１０８ではなく、それに類する入場カードや入場チケット等でもよい。図７には、トークン１０８の外観及び一部破断図が示されている。構成ブロックは図２に示された通りであり、ＣＰＵ２０やＲＦ部２１、ＥＥＰＲＯＭ２３を含むチップ部１０８ａと、チップ部１０８ａを取り囲むように円形トークン１０８の円周に沿って巻回されたアンテナ１０８ｂを含む。トークン１０８のＥＥＰＲＯＭ２３には、当該トークンの種類、すなわち金額データがセキュリティコードとともに記憶されている。利用者の個人データ（例えば氏名や年齢、住所等）を併せて記憶してもよい。
【００４１】
再び図６に戻り、利用者がゲート通過時にトークン１０８をリーダ１１０の近傍に配置すると、トークン１０８のアンテナ１０８ｂはリーダ１１０からの微弱電波を受信し、発電回路２７で自励発電してＣＰＵ２０を動作状態とする。ＣＰＵ２０は、まずリーダ１１０に対してトークンあるいはＩＣチップ１００であることを示すコマンドを無線送信して応答し、リーダ１１０からのデータ送信要求に応じてＥＥＰＲＯＭ２３に記憶されているトークンの種類（金額）のデータを無線送信する。トークンの種類データとともに、個人データを併せて無線送信してもよい。リーダ１１０は、応答コマンドによりデータ送受信すべき相手がトークン１０８であることを識別し、トークン１０８から無線送信されたデータを受信してメモリ１５に記憶する。以上の処理を、利用者がリーダ１１０の脇を通過する度に実行し、トークン１０８のデータを順次収集していく。なお、トークン１０８を携帯していない利用者の場合、あるいはトークン１０８の種類が本来必要な金額データに満たない場合等には、リーダ１１０に接続されたゲート管理システムにより利用者の通過を制限する等の措置が実行される。
【００４２】
以上のようにしてトークン１０８のデータを収集した後、図８に示されるように、他の利用者、例えば保守管理者がＩＣチップ１０４の組み込まれた機器１１２を携帯して当該機器１１２をリーダ１１０の近傍に配置させると、ＩＣチップ１０４のアンテナ２２がリーダ１１０の微弱電波を受信し、ＣＰＵ２０から機器１１２あるいはＩＣチップ１０４であることを示すコマンドを無線送信して応答する。機器１１２からのコマンドを受信したリーダ１１０では、データ送受すべき相手がトークン１０８ではなく機器１１２であると識別し、メモリ１５に記憶されているデータを機器１１２に対して無線送信する。このときのデータは、トークンの種類（金額）やその統計処理データ（どの種類のトークンが何個あるか）である。トークンの種類とともにその収集時刻データを併せて送信してもよい。また、個人データを併せて送信してもよい。機器１１２は、リーダ１１０から無線送信されたこれらのデータを受信し、そのメモリに記憶する。以上のようにして、リーダ１１０にて収集されたトークン１０８のデータが機器１１２に記憶される。保守管理者は、機器１１２をコンピュータシステムに有線あるいは無線で接続し、メモリに記憶されたリーダ１１０のデータ、すなわちゲートを通過した利用者が携帯していたトークン１０８のデータをコンピュータに供給する。コンピュータでは、入力されたデータを解析し、どのようなトークンがどの程度使用されたか等を算出する。
【００４３】
次に、本実施形態のシステムを体温測定システムに適用する例について説明する。
【００４４】
生命維持に直結するバイタルサインの一つである体温は、病院等において日常的に測定される他、家庭においても小児等の体調を管理するために適宜測定される。病院の場合、水銀式又は電子式体温計のいずれかを使用して、予め定められた時間に看護士が巡回し、患者に体温計を配布し、患者自らがわきの下等に装着して体温を測定する。その後、看護士が再び巡回して各患者から体温計を回収し、測温結果を読み取って記録簿に記入していく。記録簿に記入された各患者の測温結果は、その後コンピュータに入力されて一括管理される。
【００４５】
しかしながら、水銀式は検温に時間を要する一方、電子式では検温時間の短縮のために予測方式を主に採用しており、誤差の影響が比較的大きい。また、記録簿に記録する作業は煩雑であり、コンピュータに入力する作業と相俟って看護士の負担が大きい。
【００４６】
そこで、本例では、温度センサを有するＩＣチップ１００を粘着パッドに組み込んで患者や小児等の被測温者の体に貼付し、温度センサで検出した被測温者の体温データをリーダで読み取ることで、測温作業の負担を軽減する。
【００４７】
図９には、体温を測定する場合の概念図が示されている。温度センサを備えるＩＣチップ１００が組み込まれた粘着パッド１１４が患者（図では小児）の所定位置、例えばわき近傍に貼付される。図１０には、粘着パッド１１４の外観及び一部破断図が示されている。粘着パッド１１４の略中央に温度センサ１１４ａが設けられる。この温度センサ１１４ａは、粘着パッド１１４の裏面側（粘着シートが形成された側）に露出しており、粘着パッド１１４を貼付したときに患者の肌に直接接触する。温度センサ１１４ａで検出された温度データはチップ部１１４ｂのＥＥＰＲＯＭに記憶され、さらにアンテナ１１４ｃを介して外部に無線送信される。
【００４８】
再び図９に戻り、リーダ１１６を患者の粘着パッド１１４近傍に配置すると、粘着パッド１１４はリーダ１１６からの微弱電波を受信して自励発電するともに、ＥＥＰＲＯＭに記憶されている温度データ（患者の体温データ）を無線送信する。粘着パッド１１４は、温度データとともに、当該患者を識別するためのＩＤを同時に送信してもよい。リーダ１１６は、粘着パッド１１４からの応答コマンドに基づいてデータ送受すべき相手が粘着パッド１１４であることを識別し、粘着パッド１１４からの体温データ（及び患者のＩＤ）を受信してメモリに記憶する。なお、リーダ１１６に液晶表示器を設け、受信した体温データを液晶表示器に表示するようにしてもよい。また、リーダ１１６にて粘着パッド１１４の体温データを受信中は、液晶表示器に「検温中」と表示してもよい。病院のように複数の患者がいる場合、リーダ１１６は複数の患者のそれぞれに貼付された粘着パッド１１４からの体温データ及び患者のＩＤを順次受信してメモリに記憶する。同一患者の異なる時間での体温データを受信した場合、患者のＩＤ毎に区分して体温データを順次メモリに記憶してもよい。
【００４９】
メモリに記憶されるデータ群を例示すると以下のようである。
患者ＩＤ：０００１
体温データ：Ｔ１（ｔ１）、Ｔ２（ｔ２）、Ｔ３（ｔ３）、Ｔ４（ｔ４）、Ｔ５（ｔ５）
患者ＩＤ：０００２
体温データ：Ｋ１（ｔ１）、Ｋ２（ｔ２）、Ｋ３（ｔ３）、Ｋ４（ｔ４）、Ｋ５（ｔ５）
ここで、Ｔ１（ｔ１）やＫ１（ｔ１）は、時刻ｔ１における体温値を示す。もちろん、上記のデータ群は一例であり、（患者ＩＤ、体温データ、測温時刻）のデータセットを順次記憶してもよい。
【００５０】
以上のようにして患者の体温データを収集した後、図１１に示されるように、リーダ１１６を所定位置に設置されたホルダ１１８近傍に配置する。ホルダ１１８にはＩＣチップ１０４が組み込まれており、リーダ１１６の微弱電波を受信してホルダ１１８あるいはＩＣチップ１０４である旨のコマンドを無線送信して応答する。ホルダ１１８からのコマンドを受信したリーダ１１６は、データ送受すべき相手が粘着パッド１１４ではなくホルダ１１８であると識別し、メモリに記憶されている患者の体温データ及び患者のＩＤをホルダ１１８に対して無線送信する。ホルダ１１８は、リーダ１１６から無線送信されたデータを受信してメモリに記憶し、さらに有線で接続されたコンピュータ１０６に受信データを送信する。これにより、コンピュータ１０６にはリーダ１１６で収集したデータ、すなわち個々の患者の体温データが入力される。
【００５１】
図１２には、本例における粘着パッド１１４の構成ブロック図が示されており、図１３には本例におけるリーダ１１６の構成ブロック図が示されている。図１２の構成が図３の構成と異なる点は、温度センサ２５及びＡ／Ｄ回路（ＡＤ）２４が付加される点である。
【００５２】
温度センサ２５は、例えば患者の体温によりその抵抗値が変化するサーミスタで構成され、その抵抗値の変化を電圧値としてＡ／Ｄ２４に出力する。Ａ／Ｄ２４は、電圧値をデジタル値に変換してＣＰＵ２０に出力する。ＣＰＵ２０は、デジタル体温値を患者のＩＤと関連付けてＥＥＰＲＯＭ２３に記憶する。患者のＩＤは、患者に貼付するに先立ち、あるいは貼付する際にＥＥＰＲＯＭ２３に書き込んでおけばよい。
【００５３】
一方、図１３の構成が図４の構成と異なる点は、操作スイッチ１２、液晶表示器１３、及び外部インタフェース１１が付加される点である。
【００５４】
操作スイッチ１２は、ＣＰＵ１０、ＲＦドライバ１６、ＲＦ受信回路１７をそれぞれ起動するスイッチであり、操作スイッチ１２をオンすると微弱電波がＲＦドライバ１６及びアンテナ１８を介して送信される。操作スイッチ１２は粘着パッド１１４とデータ送受する際に操作され、また、ホルダ１１８とデータ送受する際にも操作される。
【００５５】
液晶表示器１３は、操作スイッチ１２がオンされるとともに情報を表示し、粘着パッド１１４からのデータを受信中はＣＰＵ１０からの指令に応じて「検温中」である旨を表示し、受信後はメモリ１５に記憶されているデータを用いて体温データを「３７．０℃」などと表示する。
【００５６】
外部インタフェース１１は、ホルダ１１８以外の他の機器とリーダ１１６を接続するためのインタフェースであり、このインタフェース１１を介してもメモリ１５に記憶されたデータを送信することができる。インタフェースをＵＳＢとしてパソコンに直接接続する等である。
【００５７】
なお、ホルダ１１８の構成は、温度センサ２５や発電回路２７を除いて基本的に図１２の構成と同様であり、アンテナ２２で受信したリーダ１１６からのデータをＣＰＵ２０に供給し、ＣＰＵ２０は受信した患者のデータをＥＥＰＲＯＭ２３等のメモリに記憶する。記憶されたデータは外部インタフェース２６を介してコンピュータ１０６に送信される。外部インタフェース２６は任意であり、例えばＵＳＢやＩＥＥＥ１３９４である。
【００５８】
このように、本例では、リーダ１１６にて患者の体温データを収集でき、しかもリーダ１１６をホルダ１１８近傍に持っていくのみで収集したデータをコンピュータ１０６に供給することができる。コンピュータ１０６は、入力されたデータを用いて患者の体温を管理し、例えば１日間、３日間、１週間単位での体温履歴から患者の状態を把握することができる。
【００５９】
なお、リーダ１１６側に自励発電回路を設け、ホルダ１１８からの電波により自励発電して各部の電源電圧を生成し、メモリ１５のデータを読み出してホルダ１１８に無線送信する構成としてもよい。リーダ１１６の電池１９を２次電池としてホルダ１１８からの電力により充電可能としてもよい。この場合、ホルダ１１８はリーダ１１６の充電器としても機能する（充電ホルダ）。
【００６０】
以上説明したように、本実施形態では、リーダ１０２，１１０，１１６をスタンドアロンとし、リーダ１０２，１１０，１１６がデータ送受すべき相手を識別して、ある場合（ＩＣチップ１００の場合）にはそのＩＣチップからデータを受信し、別の場合（ＩＣチップ１０４の場合）にはそのＩＣチップに向けて収集したデータを送信することで、リーダのハードウェア構成を大幅に変更することなく、簡易にＩＣチップから収集したデータを吸い上げ、サーバコンピュータやホストコンピュータ等のコンピュータに入力することができる。あるいは、本実施形態によれば、送信用タグと受信用タグを設け、送信用タグをリーダ近傍に配置させたときにリーダが送信用タグのデータを読みとってメモリに記憶し、受信用タグをリーダ近傍に配置させたときにリーダがメモリに記憶した送信用タグのデータを読み出して受信用タグに送信することで、簡易にリーダの収集データをコンピュータに供給することができる。
【図面の簡単な説明】
【００６１】
【図１】実施形態のシステム概念図である。
【図２】実施形態の他のシステム概念図である。
【図３】ＩＣチップの構成ブロック図である。
【図４】リーダの構成ブロック図である。
【図５】図１における処理の流れを示す説明図である。
【図６】改札システムへの適用例を示す概念図である。
【図７】図６におけるトークンの構成図である。
【図８】改札システムへの適用例を示す概念図である。
【図９】測温システムへの適用例を示す概念図である。
【図１０】図９における粘着パッドの構成図である。
【図１１】測温システムへの適用例を示す概念図である。
【図１２】図９における粘着パッドの構成ブロック図である。
【図１３】図９におけるリーダの構成ブロック図である。
【符号の説明】
【００６２】
１００  ＩＣチップ、１０２  リーダ、１０４  ＩＣチップ、１０６  コンピュータ、１０８  トークン、１１０  リーダ、１１２  機器、１１４  粘着パッド、１１６  リーダ、１１８  ホルダ。
【図１】
2005142855.tif 000003
【図２】
2005142855.tif 000004
【図３】
2005142855.tif 000005
【図４】
2005142855.tif 000006
【図５】
2005142855.tif 000007
【図６】
2005142855.tif 000008
【図７】
2005142855.tif 000009
【図８】
2005142855.tif 000010
【図９】
2005142855.tif 000011
【図１０】
2005142855.tif 000012
【図１１】
2005142855.tif 000013
【図１２】
2005142855.tif 000014
【図１３】
2005142855.tif 000015